Podtech/llm-jp-corpus-v4-ja_patent huggingface dataset:
【手続補正書】
【提出日】平成31年3月29日(2019.3.29)
【手続補正１】
【補正対象書類名】特許請求の範囲
【補正対象項目名】全文
【補正方法】変更
【補正の内容】
【特許請求の範囲】
【請求項１】
式（Ｉ）
（Ｘ）Ｗ（Ｙ）                                
（Ｉ）                                    
により規定され、式中、
・Ｘが０又は５を示し、
・Ｙが４〜２０の範囲の整数を示す
ＳＡＥＪ３００分類に従った等級の潤滑組成物であって、
（ａ）ＡＳＴＭ  Ｄ４４５標準に従って１００℃で測定した場合に、動粘度が１．５〜８ｍｍ2／ｓの範囲である、少なくとも１つのポリアルファオレフィン油（ＰＡＯ）と、
（ｂ）ＡＳＴＭ  Ｄ４４５標準に従って１００℃で測定した場合に、動粘度が１．５〜８ｍｍ2／ｓの範囲である、前記組成物の１０〜８０ｗｔ％の少なくとも１つのグループＶの油と、
（ｃ）３つの側鎖が５０個以上の炭素原子を含み、かつ、少なくとも１つのポリオレフィンと少なくとも１つのポリ（アルキル）メタクリレートとのコポリマー；少なくとも１つのポリオレフィンと少なくとも１つのポリ（アルキル）アクリレートとのコポリマーから選択される、少なくとも１つの櫛型ポリマーと
を含む、潤滑組成物。
【請求項２】
０Ｗ４、０Ｗ８、０Ｗ１２、０Ｗ１６、０Ｗ２０、５Ｗ４、５Ｗ８、５Ｗ１２、５Ｗ１６、５Ｗ２０から選択される、ＳＡＥＪ３００分類に従った等級の、請求項１に記載の潤滑組成物。
【請求項３】
ＡＳＴＭ  Ｄ４４５標準に従って４０℃で測定した場合に、動粘度が１２〜３０ｍｍ2／ｓの範囲である、請求項１又は２に記載の潤滑組成物。
【請求項４】
前記ＰＡＯの動粘度が、ＡＳＴＭ  Ｄ４４５標準に従って１００℃で測定した場合に、１．５〜６ｍｍ2／ｓ、又は２〜８ｍｍ2／ｓ、又はさらに２〜６ｍｍ2／ｓの範囲である、請求項１〜３のいずれか１項に記載の潤滑組成物。
【請求項５】
前記ＰＡＯの平均重量分子量が５００Ｄａ未満であるか、又は５０〜５００Ｄａの範囲であるか、又は５０〜３５０Ｄａ若しくは５０〜３００Ｄａの範囲である、請求項１〜４のいずれか１項に記載の潤滑組成物。
【請求項６】
前記組成物の２０〜８０ｗｔ％、３０〜６０ｗｔ％、又は３５〜４５ｗｔ％の前記グループＶの油を含む、請求項１〜５のいずれか１項に記載の潤滑組成物。
【請求項７】
前記グループＶの油が、モノエステル、ポリアルキレングリコール（ＰＡＧ）から選択される、請求項１〜６のいずれか１項に記載の潤滑組成物。
【請求項８】
前記グループＶの油が、
式（Ｂ１）
【化１】
2018514621.tif 000001
のモノエステルであって、式中、
・Ｒ1が、１４〜２４個の炭素原子を含む、直鎖状又は分枝状の、飽和又は不飽和の炭化水素基を示し、
・Ｒ2が、２〜１８個の炭素原子を含む、直鎖状又は分枝状の、飽和又は不飽和の炭化水素基を示す
モノエステルと、
式（Ｂ２）
【化２】
2018514621.tif 000002
のポリアルキレングリコール（ＰＡＧ）であって、式中、
・Ｒ3が、直鎖状及び分枝状のＣ1〜Ｃ30アルキル基を示し、
・ｍ及びｎが、独立して、１〜５の範囲の平均数を示す
ポリアルキレングリコール（ＰＡＧ）とから選択される、請求項１〜７のいずれか１項に記載の潤滑組成物。
【請求項９】
前記櫛型ポリマーが、オレフィンの重合又は共重合により得られる側鎖を含む、請求項１〜８のいずれか１項に記載の潤滑組成物。
【請求項１０】
前記櫛型ポリマーが、
式（Ｃ２）
【化３】
2018514621.tif 000003
のオレフィン系モノマーであって、式中、
・Ｑ3が、直鎖状又は分枝状のＣ2〜Ｃ8アルキル基、Ｃ3〜Ｃ8シクロアルキル基、Ｃ6〜Ｃ10アリール基を示し、
・Ｑ4が、水素原子又はメチル基を示し、
・Ｌ1が、ブタジエンの１，４付加体の残基；少なくとも１つのＣ1〜Ｃ6アルキル基で置換されたブタジエンの１，４付加体の残基；スチレンのビニル付加体の残基；少なくとも１つのＣ1〜Ｃ6アルキル基で置換されたスチレンのビニル付加体の残基を示し、
・Ｌ2が、ブタジエンのビニル付加体の残基；Ｃ1〜Ｃ6アルキル基で置換されたブタジエンのビニル付加体の残基；スチレンのビニル付加体の残基；少なくとも１つのＣ1〜Ｃ6アルキル基で置換されたスチレンのビニル付加体の残基を示し、
・ｋ及びｊが、独立して、０又は１〜３０００の範囲の整数を示し、合計（ｋ＋ｊ）が、７〜３０００の範囲の整数である
オレフィン系モノマーと、
式（Ｃ３）
【化４】
2018514621.tif 000004
のアルキルアクリル酸エステル又はアルキルメタクリル酸エステルのモノマーであって、式中、
・Ｑ5が、水素原子又はメチル基を示し、
・Ｑ6が、直鎖状又は分枝状のＣ1〜Ｃ26アルキル基を示す
アルキルアクリル酸エステル又はアルキルメタクリル酸エステルのモノマーとの共重合により調製された、請求項１〜９のいずれか１項に記載の潤滑組成物。
【請求項１１】
前記櫛型ポリマーが、
式（Ｃ４）
【化５】
2018514621.tif 000005
のオレフィン系モノマーであって、式中、
・Ｑ7がＣ1〜Ｃ6アルキル基、Ｃ6アリール基を示し、
・Ｑ8が、水素原子又はメチル基を示し、
・Ｑ9、Ｑ10及びＱ11が、独立して、水素原子又はＣ1〜Ｃ18アルキル基を示し、
・ｘ、ｙ及びｚが、独立して、０又は１〜３０００の範囲の整数を示し、合計（ｘ＋ｙ＋ｚ）が、７〜３０００の範囲の整数である
オレフィン系モノマーと、
式（Ｃ３）
【化６】
2018514621.tif 000006
のアルキルアクリル酸エステル又はアルキルメタクリル酸エステルのモノマーであって、式中、
・Ｑ5が、水素原子又はメチル基を示し、
・Ｑ6が、直鎖状又は分枝状のＣ1〜Ｃ26アルキル基を示す
アルキルアクリル酸エステル又はアルキルメタクリル酸エステルのモノマーとの共重合により調製された、請求項１〜１０のいずれか１項に記載の潤滑組成物。
【請求項１２】
前記ポリアルファオレフィン油（ＰＡＯ）（ａ）と前記グループＶの油（ｂ）との間の重量比（ａ／ｂ）が、０．１〜４の範囲である、請求項１〜１１のいずれか１項に記載の潤滑組成物。
【請求項１３】
ＶＩが２２０超である、請求項１〜１２のいずれか１項に記載の潤滑組成物。
【請求項１４】
車両エンジンの潤滑のための、又は、欧州サイクルＮＥＤＣに従った市街地モードの際の車両エンジンの潤滑を改善するための、請求項１〜１３のいずれか１項に記載の潤滑組成物の使用。
【請求項１５】
車両エンジンの潤滑のための、又は、欧州サイクルＷＬＴＰに従った市街地モードの際の車両エンジンの潤滑を改善するための、請求項１〜１３のいずれか１項に記載の潤滑組成物の使用。
【請求項１６】
車両エンジンの潤滑のための、又は、欧州サイクルＥＣＥに従ったコールドモードの際の車両エンジンの潤滑を改善するための、請求項１〜１３のいずれか１項に記載の潤滑組成物の使用。
【請求項１７】
ハイブリッド車両のエンジンを潤滑するための、請求項１４〜１６のいずれか１項に記載の使用。
【請求項１８】
潤滑剤の燃料節約（ＦＥ）を改善するための、又は、エンジンの燃料消費を低減するための、請求項１〜１３のいずれか１項に記載の潤滑組成物の使用。
【手続補正書】
【提出日】平成31年3月22日(2019.3.22)
【手続補正１】
【補正対象書類名】特許請求の範囲
【補正対象項目名】全文
【補正方法】変更
【補正の内容】
【特許請求の範囲】
【請求項１】
（ａ）エチレンと重合する、１つ以上のエステル基を有する少なくとも１種の極性モノマーから誘導されたエチレンポリマーから誘導されたポリマー、ならびに
（ｂ）７またはこれ未満のヒドロキシル価、２５００と１２０００の間のＭｚ値および８００ｐｐｍ未満の硫黄を有するロジンエステルであって、
前記ロジンエステルが、ロジンをエステル化すること、および揮発物を揮散させることにより得られる、組成物。
【請求項２】
ロジンエステルが、パラジウム、ニッケルおよび白金のｐｐｍ含有量の値の第１の合計（Ａ１）およびヨウ素のｐｐｍ含有量の第１の値（Ｂ１）を有し、ロジンが、パラジウム、ニッケルおよび白金のｐｐｍ含有量の値の第２の合計（Ａ２）およびヨウ素のｐｐｍ含有量の第２の値（Ｂ２）を有し、Ａ１が、Ａ２より低いまたはこれと等しく；およびＢ１が、Ｂ２より低いまたはこれと等しい、請求項１に記載の組成物。
【請求項３】
ロジンエステルが、１５またはこれ未満の酸価を有する、請求項１または２に記載の組成物。
【請求項４】
ヒドロキシル価と酸価の合計が、１８またはこれ未満である、請求項１から３のいずれか一項に記載の組成物。
【請求項５】
ロジンエステルが、２５またはこれ未満のＰＡＮ数を有する、請求項１から４のいずれか一項に記載の組成物。
【請求項６】
ロジンエステルが、１０またはこれ未満のガードナー色を有する、請求項１から５のいずれか一項に記載の組成物。
【請求項７】
ロジンエステルが、多価アルコールから誘導される、請求項１から６のいずれか一項に記載の組成物。
【請求項８】
ロジンエステルが、アルコール、ロジンおよびすべての反応物の重量に対して０超から１０重量％までの１種以上のカルボン酸官能性有機化合物から誘導され、１種以上のカルボン酸官能性有機化合物が、１２または１２未満の回転可能な結合の平均数を有する、請求項１から７のいずれか一項に記載の組成物。
【請求項９】
１種以上のカルボン酸官能性有機化合物がジカルボン酸またはポリカルボン酸を含む、請求項８に記載の組成物。
【請求項１０】
ロジンエステルが、１７００から４０００ｇ／モルのＭｗ値、および１１００から２０００ｇ／モルのＭｎ値を有する、請求項１から９のいずれか一項に記載の組成物。
【請求項１１】
ロジンエステルが、１００℃より高い軟化点を有する、請求項１から１０のいずれか一項に記載の組成物。
【請求項１２】
極性モノマーが、アルカン酸ビニルモノマー、アクリル酸エステルモノマー、メタクリル酸エステルモノマー、またはこれらの混合物を含む、請求項１から１１のいずれか一項に記載の組成物。
【請求項１３】
１種以上のワックスをさらに含む、請求項１から１２のいずれか一項に記載の組成物。
【請求項１４】
１種以上の抗酸化剤をさらに含む、請求項１から１３のいずれか一項に記載の組成物。
【請求項１５】
適用されるロジンがトール油ロジンである、請求項１から１４のいずれか一項に記載の組成物。
【請求項１６】
１７７℃で１０時間の熱老化後、８０℃から１８０℃の温度範囲内で７５％を上回る比濁光透過パーセンテージを有する、請求項１から１５のいずれか一項に記載の組成物。
【請求項１７】
ロジンエステルが、アルコール、ロジンおよびすべての反応物の重量に対して２から２５重量％の間の１種以上のジカルボン酸官能性有機化合物から誘導され、１種以上のジカルボン酸官能性有機化合物が、２から１２の回転可能な結合を有する、請求項１から１６のいずれか一項に記載の組成物。
【請求項１８】
熱可塑性道路標識配合物、タイヤ配合物または接着剤配合物である、請求項１から１７のいずれか一項に記載の組成物。
【請求項１９】
ホットメルト接着剤配合物である、請求項１から１８のいずれか一項に記載の組成物。
【手続補正書】
【提出日】令和1年5月13日(2019.5.13)
【手続補正１】
【補正対象書類名】特許請求の範囲
【補正対象項目名】全文
【補正方法】変更
【補正の内容】
【特許請求の範囲】
【請求項１】
燃焼エンジンに動力供給するための燃料組成物であって、
液体ベース燃料と；
少なくとも以下のモノマー：
●少なくとも１種の二環式（メタ）アクリレートエステル、
●任意選択で少なくとも１種の低級アルキル（メタ）アクリレート、
●任意選択で少なくとも１種の芳香族ビニルモノマー、及び
●任意選択で他のエチレン性不飽和モノマーを（共）重合させることにより得ることができる（コ）ポリマーとを含む燃料組成物。
【請求項２】
前記二環式（メタ）アクリレートエステルは、全モノマーの重量を基準として、２０重量％超の量で存在する、請求項１に記載の燃料組成物。
【請求項３】
前記低級アルキル（メタ）アクリレートは、Ｃ１〜Ｃ７アルキル（メタ）アクリレートである、請求項１または２に記載の燃料組成物。
【請求項４】
前記二環式（メタ）アクリレートエステルは、一般式（Ｉ）
【化１】
2018514636.tif 000001
（式中、
Ｒは、Ｈまたは−ＣＨ３であり、
Ａは、−ＣＨ２−、−ＣＨ（ＣＨ３）−または−Ｃ（ＣＨ３）２−であり、
Ｍは、六員環の炭素原子に共有結合しており、水素及びメチル基またはその複数からなる群から選択される）のエステルである、請求項１から３のいずれか一項に記載の燃料組成物。
【請求項５】
請求項１から４のいずれか一項に記載の燃料組成物の、
（ｉ）燃料霧化を補助すること；
（ｉｉ）点火遅れを減少させること；及び
（ｉｉｉ）前記組成物での燃焼点火エンジン運転の出力を改善することのうちの１つ以上を目的とした使用。
【手続補正２】
【補正対象書類名】明細書
【補正対象項目名】０１７６
【補正方法】変更
【補正の内容】
【０１７６】
この理論に束縛されることを望まないが、改善された性能の利益は、燃料中のポリマーの使用に起因する改変されたレオロジーによるものであり、これが燃料の改善された霧化及びより完全な燃焼をもたらすと考えられる。
発明の態様
［１］
燃焼エンジンに動力供給するための燃料組成物であって、
液体ベース燃料と；
少なくとも以下のモノマー：
●少なくとも１種の二環式（メタ）アクリレートエステル、
●任意選択で少なくとも１種の低級アルキル（メタ）アクリレート、
●任意選択で少なくとも１種の芳香族ビニルモノマー、及び
●任意選択で他のエチレン性不飽和モノマーを（共）重合させることにより得ることができる（コ）ポリマーとを含む燃料組成物。
［２］
前記二環式（メタ）アクリレートエステルは、全モノマーの重量を基準として、２０重量％超の量で存在する、［１］の燃料組成物。
［３］
前記低級アルキル（メタ）アクリレートは、Ｃ１〜Ｃ７アルキル（メタ）アクリレートである、［１］または［２］の燃料組成物。
［４］
前記二環式（メタ）アクリレートエステルは、一般式（Ｉ）
【化１】
2018514636.tif 000002
（式中、
Ｒは、Ｈまたは−ＣＨ３であり、
Ａは、−ＣＨ２−、−ＣＨ（ＣＨ３）−、または−Ｃ（ＣＨ３）２−であり、
Ｍは、六員環の炭素原子に共有結合しており、水素及びメチル基またはその複数からなる群から選択される）のエステルである、［１］から［３］のいずれか一の燃料組成物。
［５］
前記コポリマーは、
●２２から９５ｗｔ％の前記二環式（メタ）アクリレートエステルと；
●５から７８ｗｔ％の低級アルキル（メタ）アクリレートと；
●０から４５ｗｔ％の前記芳香族ビニルモノマーと；
●０から５０ｗｔ％の他のエチレン性不飽和モノマーとを；
全体で１００ｗｔ％まで含み、前記モノマーの重量パーセントは、前記モノマー全ての総重量を基準とする、［１］から［４］のいずれか一の燃料組成物。
［６］
前記コポリマーは、
●４０から９０ｗｔ％の前記二環式（メタ）アクリレートエステルと；
●５から６０ｗｔ％の低級アルキル（メタ）アクリレートと；
●５から４０ｗｔ％の前記芳香族ビニルモノマーと；
●０から４０ｗｔ％の他のエチレン性不飽和モノマーとを；
●全体で１００ｗｔ％まで含み、前記モノマーの重量パーセントは、前記モノマー全ての総重量を基準とする、［１］から［５］のいずれか一の燃料組成物。
［７］
前記コポリマーは、最大２０ｗｔ％の他のエチレン性不飽和モノマーを含む、［１］から［６］のいずれか一の燃料組成物。
［８］
二環式（メタ）アクリレートの重量パーセントは、前記芳香族ビニルモノマーの重量パーセントよりも少なくとも１５％高い、［１］から［７］のいずれか一の燃料組成物。
［９］
前記少なくとも１種の二環式（メタ）アクリレートエステルは、イソボルニルメタクリレートである、またはそれを含む、［１］から［８］のいずれか一の燃料組成物。
［１０］
前記少なくとも１種の低級アルキルメタクリレートは、イソ−ブチル（メタ）アクリレートであるか、またはそれを含む、［１］から［９］のいずれか一の燃料組成物。
［１１］
前記少なくとも１つの芳香族ビニルモノマーは、スチレンであるか、またはそれを含む、［１］から［１０］のいずれか一の燃料組成物。
［１２］
前記（コ）ポリマーは、少なくとも１００，０００Ｄの重量平均分子量を有する、［１］から［１１］のいずれか一の燃料組成物。
［１３］
前記コポリマーは、４０℃のＴＨＦ中の溶液のためのＧＰＣ−ＭＡＬＳ技法を使用して決定される、１００，０００から１０，０００，０００Ｄの重量平均分子量を有し、イソボルニル（メタ）アクリレート及びＣ１〜Ｃ４アルキル（メタ）アクリレートのみのコポリマーは、４００ｋＤ超の数平均分子量を有する、［１］から［３］のいずれか一の燃料組成物。
［１４］
前記（コ）ポリマーは、５０から２０５℃の範囲内のガラス転移温度を有する、［１］から［１３］のいずれか一の燃料組成物。
［１５］
前記ベース燃料は、ディーゼルベース燃料であり、前記燃料組成物は、ディーゼル燃料組成物である、［１］から［１４］のいずれか一の燃料組成物。
［１６］
前記燃料組成物中に存在する（コ）ポリマーの量は、前記燃料組成物の１０重量ｐｐｍから３００重量ｐｐｍ、好ましくは１０重量ｐｐｍから１００重量ｐｐｍ、より好ましくは２５重量ｐｐｍから８０重量ｐｐｍの範囲内である、［１］から［１５］のいずれか一の燃料組成物。
［１７］
［１］から［１６］のいずれか一の燃料組成物をブレンドする方法であって、前記（コ）ポリマー、または前記（コ）ポリマーを含有する添加剤パッケージを、前記ベース燃料とブレンドすることを含む方法。
［１８］
燃料組成物、好ましくはディーゼル燃料組成物中における、［１］から［１４］のいずれか一の（コ）ポリマー、または前記（コ）ポリマーを含有する添加剤パッケージの、
（ｉ）前記燃料組成物の霧化を補助すること；
（ｉｉ）前記組成物の点火遅れを減少させること；及び
（ｉｉｉ）前記組成物での燃焼点火エンジン運転の出力を改善することのうちの１つ以上を目的とした使用。
［１９］
［１］から［１６］のいずれか一の燃料組成物の、
（ｉ）燃料霧化を補助すること；
（ｉｉ）点火遅れを減少させること；及び
（ｉｉｉ）前記組成物での燃焼点火エンジン運転の出力を改善することのうちの１つ以上を目的とした使用。
【手続補正書】
【提出日】平成31年4月12日(2019.4.12)
【手続補正１】
【補正対象書類名】特許請求の範囲
【補正対象項目名】全文
【補正方法】変更
【補正の内容】
【特許請求の範囲】
【請求項１】
発作事象を特徴付けるための方法であって、前記方法は、
筋電図信号のデータが信号の振幅において上昇部を含むかどうかを識別するために、筋電図信号のデータをプロセッサで処理するステップと、
信号の振幅において上昇部が前記筋電図信号のデータに存在しているとき、間代相窓内の信号の振幅における複数の上昇部の間の時間が非てんかん性心因性事象に典型的である様式に変化しているかどうかを分析するステップと、
前記複数の上昇部の間の時間が非てんかん性心因性事象に典型的である様式に変化している場合、結果を介護者に報告するステップと、
を含む方法。
【請求項２】
前記分析するステップは、信号の振幅における前記複数の上昇部の間の前記時間が経時的にどのように変化するかについての線形近似を決定することと、前記線形近似から傾きを得ることと、前記傾きが最大閾値以下であるかどうかを決定することと、を含む、請求項１に記載の方法。
【請求項３】
前記間代相窓は、１つまたは複数の発作検出ルーチンを使用して決定された開始時間を含む、請求項１に記載の方法。
【請求項４】
前記間代相窓は、１つまたは複数の発作検出ルーチンを使用して決定された開始時間を含み、かつ
前記１つまたは複数の発作検出ルーチンの少なくとも１つは、発作の間代相の開始付近の１つまたは複数の時間を検出するように構成されている、請求項１に記載の方法。
【請求項５】
前記間代相窓は開始時間および終了時間を含み、前記開始時間および前記終了時間の各々が、前記１つまたは複数の発作検出ルーチンを使用して決定され、かつ
前記１つまたは複数の発作検出ルーチンの少なくとも１つは、発作の間代相の開始付近の１つまたは複数の時間を検出するように構成されており、かつ
前記終了時間は、発作が完了するまで進行することを示す信号に基づいて決定される、請求項１に記載の方法。
【請求項６】
請求項１に記載の方法は、
前記間代相窓内の信号の振幅における前記複数の上昇部の間の時間がてんかん性の発作に典型的である様式に変化するかを分析することと、
前記複数の上昇部の間の前記時間がてんかん性の発作に典型的である様式に変化している場合、結果を介護者に報告することと、をさらに含む方法。
【請求項７】
前記分析するステップは、信号の振幅における前記複数の上昇部の間の前記時間が経時的にどのように変化するかについての線形近似を決定することと、前記線形近似から傾きを得ることと、前記傾きが最小閾値以上であるかどうかを決定することと、を含む、請求項６に記載の方法。
【請求項８】
発作事象を特徴付けるための方法であって、前記方法は、
筋電図信号のデータが信号の振幅において上昇部を含むかどうかを識別するために筋電図信号のデータをプロセッサで処理するステップと、
前記筋電図信号のデータから間代相窓を決定するステップと、
信号の振幅において上昇部が前記筋電図信号のデータに存在しているとき、前記間代相窓内の信号の振幅における複数の上昇部の間の時間がてんかん性の発作に典型的である様式に変化しているかどうかを分析するステップと、
前記複数の上昇部の間の時間がてんかん性の発作に典型的である様式に変化している場合、結果を介護者に報告するステップと、
を含む方法。
【請求項９】
前記間代相窓は開始時間および終了時間を含み、前記開始時間および前記終了時間の各々が、前記１つまたは複数の発作検出ルーチンを使用して決定され、かつ
前記１つまたは複数の発作検出ルーチンの少なくとも１つは、発作の間代相の開始付近の１つまたは複数の時間を検出するように構成されている、請求項８に記載の方法。
【請求項１０】
発作活動について患者を監視するためのシステムであって、前記システムは、
プロセッサと、
実行されると前記プロセッサに方法を実行させる命令を記憶するメモリであって、前記方法が、
筋電図信号が信号の振幅において上昇部を含むかどうかを識別するために、前記筋電図信号のデータを前記プロセッサで処理するステップと、
信号の振幅において上昇部が前記筋電図信号のデータに存在しているとき、間代相窓内の信号の振幅における複数の上昇部の間の時間が非てんかん性心因性事象に典型的である様式に変化しているかどうかを分析するステップと、
前記複数の上昇部の間の前記時間が非てんかん性心因性事象に典型的である様式に変化している場合、結果を介護者に報告するステップと、を含む、メモリと、
を含むシステム。
【請求項１１】
前記プロセッサは、保存された医療データから前記筋電図信号のデータを受信するように構成されている、請求項１０に記載のシステム。
【請求項１２】
筋電図信号を収集し、前記筋電図信号を処理して筋電図信号のデータを提供し、かつ前記筋電図信号のデータを前記プロセッサに送信するための筋電図センサをさらに含む、請求項１０に記載のシステム。
【請求項１３】
前記分析するステップは、信号の振幅における前記複数の上昇部の間の前記時間が経時的にどのように変化するかについての線形近似を決定することと、前記線形近似から傾きを得ることと、前記傾きが最大閾値以下であるかどうかを決定することと、を含む、請求項１０に記載の方法。
【請求項１４】
前記プロセッサは、１つまたは複数の発作検出ルーチンを実行するようにさらに構成されており、前記１つまたは複数の発作検出ルーチンの少なくとも１つは、発作の間代相の開始付近の１つまたは複数の時間を検出し、前記間代相窓の開始時間を設定するように構成されている、請求項１０に記載のシステム。
【手続補正書】
【提出日】平成31年4月11日(2019.4.11)
【手続補正１】
【補正対象書類名】特許請求の範囲
【補正対象項目名】全文
【補正方法】変更
【補正の内容】
【特許請求の範囲】
【請求項１】
神経変調療法システムであって、
電極サポート上の複数の神経変調療法の電極であって、当該電極サポートは、複数の電極を血管の内壁に接触させるようにして電極を配置するために血管の中に配置可能であることを特徴とする複数の神経変調療法の電極と、
血管の外側に配置されたターゲットとする神経を捕捉するための電界を発生するための複数の電極の少なくとも１つのサブセットをアクチベートさせるように構成した刺激装置とを備え、
当該システムは、
副交感神経と交感神経の両方を捕捉するように構成された混合した神経捕捉モードであって、当該混合した神経捕捉モードでは、アクチベートした電極は第１のアノード〜カソード間分離距離を有するアノードとカソードからなり、アクチベートしたカソード電極は血管壁に接触させて配置した第１の組合せ表面積を有することを特徴とする混合した神経捕捉モードと、
副交感神経と心臓交感神経のいずれかを捕捉するように構成された独立した神経捕捉モードであって、アクチベートした電極は第２のアノード〜カソード間分離距離を有するアノードとカソードからなり、アクチベートしたカソード電極は血管壁に接触させて配置した第２の組合せ表面積を有し、当該第１の分離距離は当該第２の分離距離よりも大きく、当該第１の組合せ表面積は当該第２の組合せ表面積よりも大きいことを特徴とする独立した神経捕捉モードと、から成り、
当該混合した神経捕捉モードにおいて、当該システムは、独立した神経捕捉モードにおいて当該システムが発生する電界よりも広くて深い電界を発生させることを特徴とする神経変調療法システム。
【請求項２】
請求項１に記載された神経変調療法システムであって、前記第１の分離距離は１．５−１５mmの範囲にあることを特徴とする神経変調療法システム。
【請求項３】
請求項１に記載された神経変調療法システムであって、前記第１の分離距離は２．５−１０mmの範囲にあることを特徴とする神経変調療法システム。
【請求項４】
請求項２に記載された神経変調療法システムであって、前記第１の組合せ表面積は３mm2−１０mm2の範囲にあることを特徴とする神経変調療法システム。
【請求項５】
請求項３に記載された神経変調療法システムであって、前記第２の組合せ表面積は３mm2−１０mm2の範囲にあることを特徴とする神経変調療法システム。
【請求項６】
請求項１に記載された神経変調療法システムであって、前記刺激装置は、集合的にアノード又はカソードを形成する第１の複数の電極をアクチベートするように構成されていることを特徴とする神経変調療法システム。
【請求項７】
請求項１に記載された神経変調療法システムであって、混合した神経捕捉モードにおいて、当該システムは、副交感神経と交感神経の両方の共存によって形成された少なくとも一つの神経体の領域を捕捉するように構成されていることを特徴とする神経変調療法システム。
【手続補正書】
【提出日】平成31年4月18日(2019.4.18)
【手続補正１】
【補正対象書類名】特許請求の範囲
【補正対象項目名】全文
【補正方法】変更
【補正の内容】
【特許請求の範囲】
【請求項１】
ブラシネックと、
複数の毛束であって、その各々が、近位端及び自由端を持つ複数の毛の房を有し、前記複数の毛束の各々が、モールド内で第１の形状に溶融される近位端ヘッド部を有する、前記複数の毛束と、
前記ブラシネック及び前記近位端ヘッド部の少なくとも一部を有する弾性体マトリクスと、
を有し、
前記近位端ヘッド部の前記第１の形状は、前記毛束が前記弾性体マトリクス内に保持されるように前記弾性体マトリクスと係合する、ブラシヘッド。
【請求項２】
２以上の隣接する毛束の前記近位端ヘッド部が、相互接続される、請求項１記載のブラシヘッド。
【請求項３】
複数の保持リングを更に有し、前記複数の保持リングの各々が、前記複数の毛束の各１つを受ける、請求項１記載のブラシヘッド。
【請求項４】
前記近位端ヘッド部が、台形状を有する、請求項１記載のブラシヘッド。
【請求項５】
前記近位端ヘッド部が、Ｕ字形状を有する、請求項１記載のブラシヘッド。
【請求項６】
ブラシヘッドを製造するための方法であって、前記方法は、
モールド内に複数の毛束の各々の近位端を配置するステップであって、前記モールドは、前記複数の毛束の少なくとも１つを受けるように各々構成された複数のキャビティを有する、前記ステップと、
近位端ヘッド部を形成するため、前記毛束の近位端を少なくとも部分的に溶かすのに十分な温度及び距離で前記毛束の近位端の各々に熱を付与するステップであって、前記キャビティの各々は、前記近位端ヘッド部が少なくとも部分的に溶けるにつれて、前記近位端ヘッド部を少なくとも部分的に形成するように更に構成される、前記ステップと、
前記モールドの少なくとも一部を除去するステップであって、当該ステップは、前記複数の毛束の前記近位端ヘッド部を露出させる、前記ステップと、
ブラシネックの支持部の少なくとも一部及び前記近位端ヘッド部を少なくとも部分的に包囲する弾性体マトリクスを生成するため、熱可塑性エラストマを形作るステップと、
を有する、方法。
【請求項７】
前記形作るステップの後、前記モールドの残り部分を除去するステップを更に有する、請求項６記載の方法。
【請求項８】
前記近位端ヘッド部の近傍にブラシネックの支持部を配置するステップを更に有する、請求項６記載の方法。
【請求項９】
前記モールドが、前記キャビティの少なくとも幾つかの間に１又は複数のチャネルを更に有し、前記チャネルが、前記付与するステップの間、溶融される毛束の少なくとも一部を受ける、請求項６記載の方法。
【請求項１０】
前記モールドの前記キャビティの各々の少なくとも一部が、台形状を有する、請求項６記載の方法。
【請求項１１】
前記モールドの前記キャビティの各々の少なくとも一部が、Ｕ字形状を有する、請求項６記載の方法。
【請求項１２】
２以上の隣接する毛束の前記近位端ヘッド部が、相互接続される、請求項６記載の方法。
【請求項１３】
電動歯ブラシのためのブラシヘッドアセンブリであって、
ブラシネックと、
ブラシヘッドと、
を有し、
前記ブラシヘッドは、
前記ブラシネックの支持部と、
複数の毛束であって、その各々が、近位端及び自由端を持つ複数の毛の房を有し、前記複数の毛束の各々が、モールド内で第１の形状に溶融される近位端ヘッド部を有する、前記複数の毛束と、
前記ブラシネックの前記支持部及び前記近位端ヘッド部の少なくとも一部を有する弾性体マトリクスと、
を有し、
前記近位端ヘッド部の前記第１の形状は、前記毛束が前記弾性体マトリクス内に保持されるように前記弾性体マトリクスと係合する、ブラシヘッドアセンブリ。
【請求項１４】
２以上の隣接する毛束の前記近位端ヘッド部が、相互接続される、請求項１３記載のブラシヘッドアセンブリ。
【請求項１５】
前記近位端ヘッド部が、台形状を有する、請求項１３記載のブラシヘッドアセンブリ。
【手続補正書】
【提出日】令和1年10月2日(2019.10.2)
【手続補正１】
【補正対象書類名】特許請求の範囲
【補正対象項目名】全文
【補正方法】変更
【補正の内容】
【特許請求の範囲】
【請求項１】
長手方向軸を定める長手方向シャフトと、
前記長手方向シャフトの第１の端部に位置する付属品アセンブリであって、ユーザの口の中の接触表面に接触するための付属品アセンブリと、
前記長手方向シャフトの第２の端部を含む前記長手方向シャフトの部分、
前記付属品アセンブリに加えられる側方力の量を検出するように動作可能な力センサであって、前記側方力は、前記接触表面によって、前記長手方向軸及び前記接触表面の垂線の両方に対して垂直な方向に加えられる力を含み、前記力センサは、少なくとも１つの弾性ばね要素と、第１の方向及び第２の方向に運動するための事前に定義された剛性とを有する懸架システムを備え、前記第１の方向及び前記第２の方向は両方とも、前記長手方向シャフトの軸に対して直角である、力センサ、並びに
前記付属品アセンブリに加えられる重力の量を測定するように動作可能な少なくとも１つの加速度計
を備えるハンドル部分と、
検出された前記側方力の量に基づいて、前記付属品アセンブリが当てられる角度を判定するように動作可能な少なくとも１つのプロセッサと、
を備える、口腔衛生装置。
【請求項２】
前記少なくとも１つのプロセッサが、
前記少なくとも１つの加速度計によって測定された、前記付属品アセンブリに加えられる重力の量に基づいて、判定された前記角度を修正するようにさらに動作可能である、請求項１に記載の口腔衛生装置。
【請求項３】
前記口腔衛生装置を操作するユーザが見ることのできるユーザインターフェースを提示する表示画面に、判定された前記角度を送るように動作可能な通信回路をさらに備える、請求項１に記載の口腔衛生装置。
【請求項４】
前記付属品アセンブリは、ブラシヘッドアセンブリを含み、
前記ブラシヘッドアセンブリは、前記長手方向シャフトの前記第１の端部に位置する毛部材から離れる方に延びる複数の毛を備える、請求項１に記載の口腔衛生装置。
【請求項５】
長手方向軸を定める長手方向シャフトと、
前記長手方向シャフトの第１の端部に位置する付属品アセンブリであって、ユーザの口の中の接触表面に接触するための付属品アセンブリと、
前記長手方向シャフトの第２の端部を含む前記長手方向シャフトの部分、
前記付属品アセンブリに加えられる側方力の量を検出するように動作可能な、第１のホール効果センサ及び第２のホール効果センサであって、前記側方力は、前記接触表面によって、前記長手方向軸及び前記接触表面の垂線の両方に対して垂直な方向に加えられる力を含み、前記第１のホール効果センサは、第１の方向における前記ハンドル部分内の磁場の変化を測定し、前記第２のホール効果センサは、第２の方向における前記ハンドル部分内の前記磁場の変化を測定する、第１のホール効果センサ及び第２のホール効果センサ、並びに
前記付属品アセンブリに加えられる重力の量を測定するように動作可能な少なくとも１つの加速度計
を備えるハンドル部分と、
検出された前記側方力の量に基づいて、前記付属品アセンブリが当てられる角度を判定するように動作可能な少なくとも１つのプロセッサと、
を備える、口腔衛生装置。
【請求項６】
前記付属品アセンブリに加えられる前記側方力は、第１の方向に加えられる力と、第２の方向に加えられる力とを含み、
前記第１の方向に前記付属品アセンブリに加えられる力の量は、前記付属品アセンブリとユーザの口の前記接触表面との間の相互作用による垂直力に対応し、前記垂直力は、前記接触表面によって、前記接触表面の垂線に平行な方向に加えられる力を含み、
前記第２の方向に前記付属品アセンブリに加えられる力の量は、前記付属品アセンブリと前記ユーザの口の前記接触表面との間の相互作用による前記側方力に対応する、請求項１に記載の口腔衛生装置。
【請求項７】
前記口腔衛生装置は、前記付属品アセンブリに加えられる垂直力の量を測定するように動作可能な垂直力センサをさらに含み、前記垂直力は、前記接触表面によって、前記接触表面の垂線に平行な方向に加えられる力を含む、請求項１に記載の口腔衛生装置。
【請求項８】
口腔衛生装置を操作するユーザに、当該ユーザの口の中の接触表面に対して前記口腔衛生装置を当てる角度の質に関するフィードバックを提供する方法であって、前記方法は、
前記口腔衛生装置のハンドル部分の中に位置する側方力センサから第１のデータを受け取るステップであって、前記ハンドル部分は長手方向軸を定め、前記第１のデータは、前記口腔衛生装置の付属品アセンブリに加えられる側方力の量に対応し、前記側方力は、前記接触表面によって、前記長手方向軸及び前記接触表面の垂線の両方に対して垂直な方向に加えられる力を含む、ステップと、
前記口腔衛生装置の少なくとも１つの加速度センサから第２のデータを取得するステップであって、前記第２のデータは、前記口腔衛生装置に関連する重力の量に対応する、ステップと、
前記口腔衛生装置を操作するユーザの口の中での前記付属品アセンブリの位置を推定するステップと、
当てられているときの前記付属品アセンブリの全体的な角度及び全体的な力の量を判定するために、前記第１のデータ、前記第２のデータ、及び推定された前記位置を組み合わせるステップと、
前記口腔衛生装置を操作する前記ユーザにフィードバックを提供するステップであって、前記フィードバックは、当てられている前記付属品アセンブリの前記全体的な角度及び前記全体的な力の量を含む、ステップと、
を有する、方法。
【請求項９】
前記受け取るステップが、
前記組み合わせるステップの前に、前記第１のデータにローパスフィルタを適用するステップをさらに有する、請求項８に記載の方法。
【請求項１０】
前記取得するステップが、
前記第２のデータにローパスフィルタを合計する前に適用するステップと、
重力に対する前記付属品アセンブリの角度を算出するステップと、
算出された前記角度の符号を抽出して、前記付属品アセンブリが当てられている方向を判定するステップと、
をさらに有する、請求項８に記載の方法。
【請求項１１】
前記推定するステップが、
参照表を使用して、前記ユーザの口の中での推定された前記位置に基づいて、前記付属品アセンブリのオフセット値を得るステップをさらに有する、請求項８に記載の方法。
【請求項１２】
前記オフセット値が、
前記ユーザの口の中での前記付属品アセンブリの奥行きと、
前記付属品アセンブリが相互作用する前記ユーザの口の表面タイプと、
前記ユーザによって操作される前記口腔衛生装置の向きと、
のうち少なくとも１つに対応する、請求項１１に記載の方法。
【請求項１３】
提供される前記フィードバックは、
表示画面に提示されるグラフィカルユーザインターフェースに表示される、前記全体的な角度及び前記付属品アセンブリに加えられる前記力の量と、
前記全体的な角度を改善すること、及び前記付属品アセンブリに加えられる前記力の量を改善すること、の少なくとも一方のために、前記ユーザが前記付属品アセンブリを動かすように前記口腔衛生装置を操作する方向と、
をさらに含む、請求項８に記載の方法。
【手続補正書】
【提出日】平成31年4月23日(2019.4.23)
【手続補正１】
【補正対象書類名】特許請求の範囲
【補正対象項目名】全文
【補正方法】変更
【補正の内容】
【特許請求の範囲】
【請求項１】
ガンマデルタＴ細胞受容体（ＴＣＲ）とキメラ抗原受容体（ＣＡＲ）とを発現するＴ細胞であって、前記ＣＡＲが、
（ｉ）抗原結合ドメイン；
（ｉｉ）膜貫通ドメイン；および
（ｉｉｉ）共刺激細胞内シグナル伝達ドメイン；
を含み、ここで前記細胞内シグナル伝達ドメインは、抗原の前記抗原結合ドメインへの結合に続いて共刺激シグナルをＴ細胞に与える、Ｔ細胞。
【請求項２】
前記抗原結合ドメインが、腫瘍関連抗原（ＴＡＡ）に結合することができ、任意選択的に、前記抗原結合ドメインが、ＧＤ２、ＣＤ３３、ＣＤ１９またはＥＧＦＲに結合することができる、請求項１に記載の細胞。
【請求項３】
前記膜貫通ドメインが、ＣＤ８ストークまたはＣＤ２８膜貫通ドメインを含む、請求項１または２に記載の細胞。
【請求項４】
前記細胞内シグナル伝達ドメインが、ＤＡＰ１０、ＣＤ２８、ＣＤ２７、４１ＢＢ、ＯＸ４０、ＣＤ３０、ＩＬ２−Ｒ、ＩＬ７−Ｒ、ＩＬ２１−Ｒ、ＮＫｐ３０、ＮＫｐ４４またはＤＮＡＭ−１（ＣＤ２２６）シグナル伝達ドメインを含み、任意選択的に、前記細胞内シグナル伝達ドメインが、ＤＡＰ１０シグナル伝達ドメインを含む、請求項１〜３のいずれか一項に記載の細胞。
【請求項５】
第１抗原の前記ガンマデルタＴＣＲへの結合がシグナル１の産生をもたらし、第２抗原の前記ＣＡＲの抗原結合ドメインへの結合がシグナル２の産生をもたらす、請求項１〜４のいずれか一項に記載の細胞。
【請求項６】
前記ＣＡＲが、前記抗原結合ドメインと前記膜貫通ドメインとの間にスペーサードメイン、例えば、ＣＤ８ストークまたはＦｃ領域をさらに含む、請求項１〜５のいずれか一項に記載の細胞。
【請求項７】
前記ガンマデルタＴＣＲが、リン酸化抗原；主要組織適合複合体クラスＩ鎖関連Ａ（ＭＩＣＡ）；主要組織適合複合体クラスＩ鎖関連Ｂ（ＭＩＣＢ）；ＮＫＧ２Ｄリガンド１−６（ＵＬＢＰ１−６）；ＣＤ１ｃ；ＣＤ１ｄ；内皮タンパク質Ｃ受容体（ＥＰＣＲ）；リポヘキサペプチド；フィコエリスリンまたはヒスチジルｔＲＮＡ合成酵素に結合することができる、請求項１〜６のいずれか一項に記載の細胞。
【請求項８】
ＣＡＲであって、
（ｉ）抗原結合ドメイン；
（ｉｉ）膜貫通ドメイン；および
（ｉｉｉ）細胞内シグナル伝達ドメイン
を含み；ここで前記細胞内シグナル伝達ドメインは、共刺激細胞内シグナル伝達ドメインを含むが、ＣＤ３内部ドメインを含まず、任意選択的に、前記共刺激細胞内シグナル伝達ドメインが、ＤＡＰ１０、ＣＤ２８、ＣＤ２７、４１ＢＢ、ＯＸ４０、ＣＤ３０、ＩＬ２−Ｒ、ＩＬ７−Ｒ、ＩＬ２１−Ｒ、ＮＫｐ３０、ＮＫｐ４４またはＤＮＡＭ−１（ＣＤ２２６）シグナル伝達ドメインから選択される、ＣＡＲ。
【請求項９】
ＣＡＲであって、
（ｉ）抗原結合ドメイン；
（ｉｉ）膜貫通ドメイン；および
（ｉｉｉ）細胞内シグナル伝達ドメイン
を含み；ここで前記細胞内シグナル伝達ドメインはＤＡＰ１０シグナル伝達ドメインを含み、任意選択的に、前記細胞内シグナル伝達ドメインが、ＣＤ３内部ドメインを含まない、ＣＡＲ。
【請求項１０】
請求項２〜７のいずれか一項で定めたＣＡＲである、請求項８または９に記載のＣＡＲ。
【請求項１１】
請求項１〜１０のいずれか一項で定めたＣＡＲをコードする核酸配列。
【請求項１２】
請求項１１で定めた核酸配列を含み、任意選択的に、レトロウイルスベクター、レンチウイルスベクターまたはトランスポゾンである、ベクター。
【請求項１３】
請求項１１に記載の核酸配列または請求項１２に記載のベクターを細胞に導入する工程を含む、請求項１〜７のいずれか一項に記載の細胞のｉｎ  ｖｉｔｒｏでの作製方法。
【請求項１４】
前記細胞がガンマデルタＴ細胞刺激剤で刺激され、任意選択的に、前記ガンマデルタＴ細胞刺激剤が、イソペンテニルピロリン酸（ＩＰＰ）；ＩＰＰ類似体；およびファルネシルピロリン酸合成酵素（ＦＰＰＳ）阻害剤から選択される、請求項１３に記載の方法。
【請求項１５】
前記細胞が被験体から単離された試料に由来する、請求項１４に記載の方法。
【請求項１６】
請求項１〜７のいずれか一項に記載の細胞、請求項８〜１０のいずれか一項に記載のＣＡＲ、請求項１１に記載の核酸配列、または請求項１２に記載のベクターを含む医薬組成物。
【請求項１７】
医薬に用いるための請求項１６に記載の医薬組成物。
【請求項１８】
ガンマデルタＴ細胞刺激剤の前、同時、または後に組み合わせる、請求項１６に記載の医薬組成物。
【請求項１９】
前記ガンマデルタＴ細胞刺激剤が、イソペンテニルピロリン酸（ＩＰＰ）；ＩＰＰ類似体；およびファルネシルピロリン酸合成酵素（ＦＰＰＳ）阻害剤から選択される、請求項１８に記載の医薬組成物。
【請求項２０】
請求項１７〜１９のいずれか一項に記載の医薬組成物であって、
（ｉ）被験体からの細胞含有試料であって、請求項１１に記載の核酸または請求項１２に記載のベクターで形質導入またはトランスフェクションされた細胞含有試料を含む、医薬組成物。
【請求項２１】
疾患の治療および／または予防で用いるための医薬組成物であって、前記疾患が、がん、微生物感染またはウイルス感染である、請求項１６に記載の医薬組成物。
【請求項２２】
疾患の治療および／または予防のための医薬の製造における、請求項１〜７のいずれか一項に記載の細胞の使用。
【手続補正書】
【提出日】平成31年3月29日(2019.3.29)
【手続補正１】
【補正対象書類名】特許請求の範囲
【補正対象項目名】全文
【補正方法】変更
【補正の内容】
【特許請求の範囲】
【請求項１】
光線療法用照明エンジンであって、
ａ．第１および第２の表面を有する熱伝導性コア基板；
ｂ．光線療法用の成分である波長を含む光を放射するための複数の発光ダイオード（ＬＥＤ）であって、複数のＬＥＤから熱を吸収するための熱伝導性コア基板の第１の表面に連結するように構成される、複数の発光ダイオード（ＬＥＤ）；
ｃ．放射された光を反射させるための複数のＬＥＤに機能的に連結された複数の光反射板であって、それによって、被験体への光線療法の処置のために光を皮膚表面の方へと向ける、複数の光反射板；
ｄ．熱伝導性コア基板の第１の表面の少なくとも一部を覆うように位置付けられた窓；
ｅ．熱伝導性コア基板の第１の表面に連結されたカラーであって、皮膚表面に係合するように及び皮膚表面および周囲の領域から放射された光の漏れを制限するように適合され、カラーが光線療法被験体の皮膚表面に接触する時に装置が光線療法を行うことを可能にする１以上のセンサーに連結されている、カラー；および
ｆ．熱伝導性コア基板の第２の表面に連結されたヒートシンクであって、熱伝導性コア基板から離れて熱を伝導するように構成且つ適合された、ヒートシンクを含み、
ここで、前記複数の光反射板の１つ以上は、複数のＬＥＤの周囲にてカラーの内面に位置付けられ、複数のＬＥＤを囲む、
光線療法用照明エンジン。
【請求項２】
熱伝導性コア基板がアルミニウムを含む、請求項１に記載の光線療法用照明エンジン。
【請求項３】
ヒートシンクがファンに機能的に連結される、請求項１に記載の光線療法用照明エンジン。
【請求項４】
ヒートシンクが、熱伝導性筐体に機能的に連結される、請求項１に記載の光線療法用照明エンジン。
【請求項５】
複数のＬＥＤから熱伝導性コア基板に熱を伝導するための、複数のＬＥＤの少なくとも１つに及び熱伝導性金属コア基板の第１の表面に連結された複数の導体パッドをさらに含み、該複数の導体パッドが、ＬＥＤの少なくとも１つの領域より大きい領域を有している、請求項１に記載の光線療法用照明エンジン。
【請求項６】
複数のＬＥＤが１つ以上のベアダイＬＥＤを含む、請求項１に記載の光線療法用照明エンジン。
【請求項７】
ベアダイＬＥＤと空気との間の内部屈折からの光損失を減少させるための、間に空隙を生じさせることなくベアダイＬＥＤと直接接触した状態で複数の光透過性カバーをさらに含む、請求項６に記載の光線療法用照明エンジン。
【請求項８】
複数のＬＥＤが、ＵＶＢ周波数範囲を含む治療域で光を放射する、請求項１に記載の光線療法用照明エンジン。
【請求項９】
ＵＶＢ周波数範囲が約３００−３２０ナノメートルである、請求項８に記載の光線療法用照明エンジン。
【請求項１０】
複数の反射板の１つが、円錐形であり、複数のＬＥＤのまさに１つから放射された光を反射させるように位置付けられる及び構成される、請求項１に記載の光線療法用照明エンジン。
【請求項１１】
複数の光反射板が、放射された光を皮膚表面の方へと反射させるためのアルミニウムの反射板表面を含む、請求項１に記載の光線療法用照明エンジン。
【請求項１２】
熱伝導性コア基板、ヒートシンク、複数のＬＥＤ、複数の光反射板、窓、およびカラーの少なくとも１つを収容するように構成されたハウジングをさらに含む、請求項１に記載の光線療法用照明エンジン。
【請求項１３】
ハウジングの側壁の一部が窓の位置を越えて伸長するように、窓がハウジング内に位置付けられる、請求項１２に記載の光線療法用照明エンジン。
【請求項１４】
窓が、特定の波長で光を遮断する及び／又は減衰するために、放射された光のいくらかをフィルター処理するように適合される、請求項１に記載の光線療法用照明エンジン。
【請求項１５】
窓の位置を越えて伸長するハウジングの側壁の一部が、光を皮膚表面の内方へと反射させるために反射面に連結される、請求項１３に記載の光線療法用照明エンジン。
【請求項１６】
カラーが軟性の生体適合性材料を含む、請求項１に記載の光線療法用照明エンジン。
【手続補正書】
【提出日】平成31年2月7日(2019.2.7)
【手続補正１】
【補正対象書類名】特許請求の範囲
【補正対象項目名】全文
【補正方法】変更
【補正の内容】
【特許請求の範囲】
【請求項１】
ユーザの少なくとも一つの血液灌流パラメータを決定するための光センサデバイスであって、
前記ユーザの組織サンプル中で散乱するためのコヒーレント光を提供するための光源と、散乱コヒーレント光の少なくとも一部を受光するための光検出ユニットとを有し、前記光源と前記光検出ユニットが相互に対して再放射ジオメトリで配置され、
前記光検出ユニットが、散乱コヒーレント光により形成されるスペックルパターンに従って光強度値を捕捉するため複数の光検出素子を有し、前記光検出素子が前記光源から増加する距離において配置され、各距離は、前記光により横断される組織層に対応する組織深度と関連し、少なくとも１つの光検出素子が、各距離に割り当てられ、
前記センサデバイスが、前記光源と前記光検出ユニットを含むハウジングを有し、前記ハウジングは、前記光源により放射される光がそこを通って前記ハウジングから出ることができる第一の開口と、前記光検出ユニットにより捕捉される散乱光がそこを通って前記ハウジングに入ることができる第二の開口とを有する、前記組織サンプルと接触させることができる接触面を有し、
前記光センサデバイスは、個別の距離に割り当てられる前記少なくとも１つの光検出素子により捕捉される光強度に基づいて各距離に対するコントラスト値を決定し、前記距離に対して決定されるコントラスト値に基づいて前記血液灌流パラメータの一つの動き補正値を決定するように構成される評価ユニットをさらに有する、光センサデバイス。
【請求項２】
前記第一及び第二の開口は、前記接触面が前記組織サンプルと接触するとき、前記第一及び第二の開口の間の接続線が前記組織サンプルを横断しないような方法で、相互に対して配置される、請求項１に記載の光センサデバイス。
【請求項３】
前記血液灌流パラメータが、前記ユーザの心拍数及び／又は前記組織サンプル中の血流速度を示す、請求項１に記載の光センサデバイス。
【請求項４】
前記評価ユニットが、前記コントラスト値の変化の周波数を推定し、推定される周波数に基づいて前記ユーザの心拍数を示す血液灌流パラメータを決定するように構成される、請求項３に記載の光センサデバイス。
【請求項５】
前記評価ユニットが、前記血液灌流パラメータを少なくとも一つの閾値と実質的に連続的に比較し、前記血液灌流パラメータが前記閾値を超える若しくは下回る場合にアラームルーチンを実行するように前記光センサデバイスを制御するように構成される、請求項１に記載の光センサデバイス。
【請求項６】
前記血液灌流パラメータが前記組織サンプル中の血流速度を示し、前記センサデバイスが温度センサをさらに有し、前記評価ユニットは、前記温度センサを使用して測定される温度が既定期間内に規定閾値を超える量だけ減少することを決定するときにアラームルーチンの開始を防止するように構成される、請求項５に記載の光センサデバイス。
【請求項７】
前記血液灌流パラメータが前記組織サンプル中の血流速度を示し、前記センサデバイスが高度計をさらに有し、前記評価ユニットは前記高度計を使用して決定される高度に基づいて前記閾値を決定するように構成される、請求項５に記載の光センサデバイス。
【請求項８】
前記血液灌流パラメータが前記組織サンプル中の血流速度を示し、前記センサデバイスが、前記センサデバイスにより前記組織サンプルへ加えられる圧力を測定するための圧力センサをさらに有し、前記評価ユニットは、前記圧力の変化を検出し、前記圧力の変化が検出されるときに対応する情報を出力するように前記センサデバイスを制御するように構成される、請求項１に記載の光センサデバイス。
【請求項９】
前記血液灌流パラメータが前記組織サンプル中の血流速度を示し、前記センサデバイスが、前記組織サンプルに対する前記センサデバイスの変位を検出するための位置センサをさらに有し、前記評価ユニットは、前記組織サンプルに対する前記センサデバイスの変位が検出されるときに対応する情報を出力するように前記センサデバイスを制御するように構成される、請求項１に記載の光センサデバイス。
【請求項１０】
前記評価ユニットが、前記距離に対して決定されるコントラスト値に基づいて異なる組織深度に従って前記血液灌流パラメータの複数の値を決定するように構成される、請求項１に記載の光センサデバイス。
【請求項１１】
前記評価ユニットが、前記異なる組織深度に従って前記血液灌流パラメータの値に基づいて前記血液灌流パラメータの動き補正値を決定するように構成される、請求項１０に記載の光センサデバイス。
【請求項１２】
前記第二の開口がアパーチャとして構成され、前記アパーチャのサイズは前記スペックルパターンの少なくとも一部のスペックルが既定最小サイズを持つように選択される、請求項１に記載の光センサデバイス。
【請求項１３】
複数の検出素子が前記光源に対する少なくとも一つの距離と関連付けられ、前記光検出ユニットが前記スペックルパターンの画像を捕捉するように構成され、前記画像は前記検出素子に対応する複数のピクセルを有し、前記アパーチャのサイズは、最小サイズを持つスペックルが前記複数の検出素子の少なくとも二つの検出素子を覆うように選択される、請求項１２に記載の光センサデバイス。
【請求項１４】
ユーザの少なくとも一つの血液灌流パラメータを決定するための方法であって、
前記ユーザの組織サンプル中で散乱するためのコヒーレント光を提供するための光源と、散乱コヒーレント光の少なくとも一部を受光するための光検出ユニットとを有するセンサデバイスを設けるステップであって、前記光源と前記光検出ユニットは相互に対して再放射ジオメトリで配置され、前記光検出ユニットは前記散乱コヒーレント光により形成されるスペックルパターンに従って光強度値を捕捉するための複数の光検出素子を有し、前記光検出素子は前記光源から増加する距離において配置され、各距離は、前記光により横断される組織層に対応する組織深度と関連し、少なくとも１つの光検出素子が、各距離に割り当てられる、ステップと、
前記センサデバイスのハウジングの接触面を前記組織サンプルと接触させるステップであって、前記接触面は、前記光源により放射される光がそこを通って前記ハウジングから出ることができる第一の開口と、前記光検出ユニットにより捕捉される散乱光がそこを通って前記ハウジングに入ることができる第二の開口とを有する、ステップと、
個別の距離に割り当てられる前記少なくとも１つの光検出素子により捕捉される光強度に基づいて各距離に対するコントラスト値を決定するステップと、
前記距離に対して決定されるコントラスト値に基づいて前記血液灌流パラメータの一つの動き補正値を決定するステップとを有する、方法。